(57)【特許請求の範囲】
【請求項１】
錠箱のフロント板に垂直な前後方向に移動可能に案内され、また、前方に付勢されたデッドボルトを兼ねるラッチボルトと、前後方向に延在し、中央部をラッチボルトの近傍において回動可能に支承されると共に、その前端がラッチボルトの頭部の段部の移動軌跡と干渉する方向に付勢された係止レバーと、この係止レバーに関しラッチボルトとは反対側に配設され、前後方向に移動可能に案内されると共に前方に付勢され、また、ラッチボルトに突設された連結片に前方から係合可能な解錠ボードと、この解錠ボードに植設され、係止レバー１５の後方の傾斜部に前方から当接する解錠ピンと、シリンダ錠の内筒及びサムターン軸に連結され、外周部にセクターギアを形成して、このセクターギアを解錠ボードに形成されたラックに噛み合わせた制御カムとを有する自動施錠錠において、ラッチボルトを一時的に錠箱内に保持し、自動施錠錠を空錠とする作動モードと、本来の自動施錠錠とする作動モードとを任意に切り替えるものであって、上記制御カムに同軸かつ一体的に連結されたサムターン軸と、室内側に設けられたサムターン軸操作用の摘みとを、第１及び第２カム体の係合を介して同軸かつ相対回動可能に連結し、第１カム体には外周に円周方向に切欠を形成すると共に、第２カム体の先端に上記第１カム体の切欠と円周方向において遊動可能に係合する係合突起を突設し、これら第１及び第２カム体の何れか一方をサムターン軸に、他方を摘みに夫々同軸かつ一体的に結合し、一方、摘みに結合されたカム体を思案位置を有するばね装置により付勢したことを特徴とするラッチボルトの係止装置。
【発明の詳細な説明】
【０００１】
【発明の属する技術分野】
この発明は、ホテルの客室等に用いられる自動施錠の錠前の、デッドボルトを兼ねるラッチボルト（以下単にラッチボルトという）の係止装置に係り、特に、簡単な操作でラッチボルトを引込めたままの状態にすることができるラッチボルトの係止装置に関する。
【０００２】
【従来の技術】
例えばホテルの客室や企業の研究所の扉口等に用いられる錠前は、安全性を向上させるために、所謂自動施錠の錠前が採用されている場合が多い。
【０００３】
この自動施錠の錠前は、その一例を後述するが、閉扉時ラッチボルトが扉枠のストライク孔に投入されると、そのラッチボルトを突出位置に固定する部材が自動的に作動し、閉扉後合鍵により錠前を施錠しなくとも扉の施錠をすることができる。
【０００４】
しかして、この自動施錠の錠前を例えば研究所の扉口、或いは金融機関の従業員の出入り口に装着した場合、人の出入りの少ない日中は良いが、出退社時等人の出入りの多い朝夕には、人の出入り毎に合鍵や電気錠の暗証符号入力盤の操作をしなければならず煩わしい。
【０００５】
そこで、自動施錠のラッチボルトを一時的に錠箱内に没入した状態に保持し、これを空錠とするラッチボルトの係止装置が提案され、かつ実用されている。
【０００６】
このラッチボルトの係止装置は、例えば図１に示すように、錠箱１内にラッチボルト２と一体的に前後方向（フロント板３の板厚方向）に移動する係止体４と、外端面に形成されたスリワリをフロント板３に臨ませた制御杆５と、この制御杆５の内端に装着されたストッパー６とを有している。
【０００７】
上記ストッパー６は、このラッチボルトの係止装置が作動しない常態では、図１に示すように、係止体４の移動軌跡と干渉しない角度位置にあるが、作動時には、合鍵又は室内側のハンドルによりラッチボルト２を錠箱１内に引込ませた状態で、制御杆５をドライバー等で反時計方向に例えば９０度回動させる。
【０００８】
すると、図２に示すように、ストッパー６が係止体４の移動軌跡と干渉するようになり、前者が前方（手前側）から後者を遮るので、係止体４と一体のラッチボルト２は錠箱１内に引込んだ状態に係止される。
【０００９】
【発明が解決しようとする課題】
上記したラッチボルトの係止装置は勿論その所期の機能を発揮し実用されているが、係止装置を作動させるため一旦扉を開けて制御杆５を露出させ、しかもドライバー等を捜して扉口まで持っていかなくてはならないので、やや操作が面倒である、という恨みが残る。
【００１０】
そこで、この発明は、扉を閉めた状態で手指で操作でき、勿論ドライバー等を使用しなくてもよい操作の簡単なラッチボルトの係止装置を提供することを目的としている。
【００１１】
【課題を解決するための手段】
上記の目的を達成するため、この発明は、錠箱のフロント板に垂直な前後方向に移動可能に案内され、また、前方に付勢されたデッドボルトを兼ねるラッチボルトと、前後方向に延在し、中央部をラッチボルトの近傍において回動可能に支承されると共に、その前端がラッチボルトの頭部の段部の移動軌跡と干渉する方向に付勢された係止レバーと、この係止レバーに関しラッチボルトとは反対側に配設され、前後方向に移動可能に案内されると共に前方に付勢され、また、ラッチボルトに突設された連結片に前方から係合可能な解錠ボードと、この解錠ボードに植設され、係止レバー１５の後方の傾斜部に前方から当接する解錠ピンと、シリンダ錠の内筒及びサムターン軸に連結され、外周部にセクターギアを形成して、このセクターギアを解錠ボードに形成されたラックに噛み合わせた制御カムとを有する自動施錠錠において、ラッチボルトを一時的に錠箱内に保持し、自動施錠錠を空錠とする作動モードと、本来の自動施錠錠とする作動モードとを任意に切り替えるものであって、上記制御カムに同軸かつ一体的に連結されたサムターン軸と、室内側に設けられたサムターン軸操作用の摘みとを、第１及び第２カム体の係合を介して同軸かつ相対回動可能に連結し、第１カム体には外周に円周方向に切欠を形成すると共に、第２カム体の先端に上記第１カム体の切欠と円周方向において遊動可能に係合する係合突起を突設し、これら第１及び第２カム体の何れか一方をサムターン軸に、他方を摘みに夫々同軸かつ一体的に結合し、一方、摘みに結合されたカム体を思案位置を有するばね装置により付勢したことを特徴とする。
【００１２】
【発明の実施の態様】
以下この発明の実施例を図３乃至図８を参照して説明する。
図３において符号７は扉を、符号８及び９は外側及び内側エスカチオンを夫々示し、これら外側及び内側エスカチオンの間における扉７内に自動施錠の錠前の錠箱１が装着される。
【００１３】
自動施錠の錠箱の構造は周知であり、加えて本発明の要旨ではないが、念の為その構造の一例を図４に示すと、シリンダ錠の内筒又はサムターン軸に連結された制御カム１１の外周部にセクターギア１２が形成されている。
【００１４】
このセクターギア１２は、前後方向に移動可能に案内され、前方に向かう方向に付勢された解錠ボード１３の一部に形成されたラックと噛み合っており、また、この解錠ボード１３に植設された解錠ピン１４が係止レバー１５の傾斜部に前方から当接している。
【００１５】
上記した構成により、例えばサムターン軸を図４で反時計方向に回すと、解錠ピン１４が後方に移動するので係止レバー１５が時計方向に回動してラッチボルト２の係止を解く。
【００１６】
更にサムターン軸を反時計方向に回すと、解錠ボード１３が連結片１６を介してラッチボード１７を後方に移動させるので、ラッチボード１７に搭載されたラッチボルト２が錠箱１内に没入する。
【００１７】
尚、図３に示す本発明のラッチボルトの係止装置を装備した錠は、ホテルの客室に装着される電気錠で、図４に示す錠箱の構造に加え、外側エスカチオン８のシリンダ錠洞１８に装着される図示しない、かつ、サムターン軸１９と同軸ではないシリンダ錠によってもラッチボルトの出し入れができる構造であるが、その構造は本発明の要旨ではないので、更に詳細な説明は省略する。
【００１８】
上記サムターン軸１９は、図示しない自動施錠型の錠箱の制御カム（図４では符号１１）を貫通し、外端（図３で左端）は外側エスカチオン８の内面に回動自在に支承されている。
【００１９】
一方、サムターン軸１９の内端は、カプラー２１を介して、内側エスカチオン９の室内側表面に回動可能に突設された摘み２２に同軸かつ相対回動可能に連結されている。
【００２０】
即ち、図５に示すように、カプラー２１の外端面（図３及び図５で左端面）にはカプラー２１の内端部と嵌合する段付の受入れ孔２１ａが開口しており、この受入れ孔２１ａと嵌合するサムターン軸１９の内端部は、カプラー２１を貫通するピン２３（図３参照）によりカプラー２１に一体的に結合されている。
【００２１】
また、図５に示すように、カプラー２１の内端面には断面小判形の取付段部２１ｂと連結軸２１ｃとが同軸に連設されている。
【００２２】
一方、図５に示すように、摘み２２の外端面に連設された小径部２２ａのほぼ中央部に止め輪溝２２ｂが形成されており、この止め輪溝２２ｂより外側（図５で左側）の横断面は矢張り小判形になっていて、この横断面小判形の部分はカム取付部２２ｃとなっている。
【００２３】
また、小径段部２２ａには、上記連結軸２１ｃと回動可能に嵌合する連結孔２２ｄが穿設されている。
【００２４】
図３に戻って、上記した構造の摘み２２は、その小径段部２２ａを外側にして内側エスカチオン９に回動自在に支承され、止め輪２４により抜け止めが施されている。
【００２５】
上記摘みのカム取付部２２ｃには、図３及び図６に示すように、大体の形状が皿状で、外周に角度にして約９０度の切欠を形成し、中心部にカム取付部２２ｃの横断面形状と同形の小判形の取付孔（図示せず）を開口させた第１カム体２６が嵌着されている。
【００２６】
一方、上記のようにして内側エスカチオン９に装着された摘み２２の連結孔には、外端にサムターン軸１９を結合したカプラー２１の内端の連結軸２１ｃ（図５参照）が回動可能に嵌合している。
【００２７】
このようにして、サムターン軸９と摘み２２とは、カプラー２１を介して、同軸かつ相対回動可能に連結されている。
【００２８】
そして、カプラー２１の取付段部２１ｂ（図５参照）には、その横断面形状と同形の小判形の取付孔（図示せず）を中心部に開口させた第２カム体２７が、第１カム体２６との間にワッシャー２８を挟んで嵌着されている。
【００２９】
図示の実施例における第２カム体２７は、図６に示すように、全体の形状が涙滴形の板状体で、その尖端である先端には、第１カム体２６に対向するようにして（図３参照）、ピン様の係合突起２９が突設されている。
【００３０】
この係合突起２９は、図６に明示するように、第１カム体の切欠２５に一定角度（図示の実施例では９０度）遊動可能に係合している。
【００３１】
また、第１カム体２６の中心に関して切欠２５とは反対側の端部には、図３及び図６に示すように、ばね杆３１の一端が回動可能に結合されており、このばね杆３１の他端部は内側エスカチオン９に取付けられた水平な支持板３２のスリット３３に遊嵌している。
【００３２】
更にまた、上記ばね杆３１には、圧縮コイルばねとしての付勢ばね３４が巻装されている。
【００３３】
上記したばね杆３１、支持板３２及び付勢ばね３４等からなるばね装置は、ばね杆３１が図６で鉛直になる角度位置が一端が左にも右にも振れる思案位置となる、思案位置を有するばね装置（以下単にばね装置という）３５を構成する。
【００３４】
なお、図６において符号３６は停止ピンを示し、この停止ピン３６はばね装置３５により付勢された第１カム体２６の角度位置を規定するものである。
【００３５】
上記のように構成されたこの発明の一実施例によるラッチボルトの係止装置において、自動施錠の錠前の本来の機能を有する常態においては、図６に示すように、例えば第１カム体の切欠２５がＸ−Ｙ座標軸の第１象限に在るものとする。
【００３６】
またこのとき、サムターン軸１９と一体の係合突起２９がサムターン軸１９を常時付勢している付勢力により（例えば図４の解錠ボード１３を前方に付勢しているばねの付勢力）、係合突起２９が時計方向に付勢され、切欠２５の一方の端縁に係止されて、時計盤面に換算して３時の角度位置に在るものとする。
【００３７】
上記し、また図６に示す錠前の常態においては、ばね装置３５はそのばね杆３１及び第１カム体２６の角度位置を安定に保ち、サムターン軸１９を弾性的に定角度位置に係止する。
【００３８】
この常態においては、室外側から合鍵及び／又はノブ等の外部操作部材により、或いは室内側からハンドルやノブ等の内部操作部材を操作すれば、錠箱内部の周知のラッチボルト操作機構によりラッチボルトが錠箱内に引込むように駆動され、この時ラッチボルトと一体的に連結されたサムターン軸１９及び係合突起２９は図６において反時計方向に９０度回動するので、係合突起２９は第１カム体の切欠２５内で遊動する。
【００３９】
この発明によるラッチボルトの係止装置を作動させるには、サムターンの室内側の摘み２２を室内側から見て時計方向に、図６においては第１カム体２６を反時計方向に駆動するように手指で回す。
【００４０】
すると、サムターン軸１９に印加される付勢力、及びばね装置３５の呈する弾力に抗して、摘み２２と一体の第１カム体２６が図６において反時計方向に回動し始める。
【００４１】
その回動の初期においては、手指の力はばね装置の付勢ばね３４を押し縮める方向に作用し、ばね杆３１の他端部を支持板３２のスリット３３に押込みつつ、第１カム体２６を反時計方向に回動するように駆動する。
【００４２】
ばね杆３１がほぼ鉛直になる思案位置を過ぎると、今度は付勢ばね３４の弾力により第１カム体２６が急激に反時計方向に回動し、一方の停止ピン３６に当接して、その切欠２５がＸ−Ｙ座標軸の第４象限に整合する角度位置に停止する。
【００４３】
このときには、切欠２５の一方の端縁が、サムターン軸の付勢力に抗して、サムターン軸１９と一体の係合突起２９を時計盤面に換算して１２時の角度位置に弾性的にかつ恒常的に係止する。
【００４４】
したがって、サムターン軸１９に連結されたラッチボルトも錠箱内に引込んだ位置を安定に保ち、このようにしてこの錠前は空錠状態となる。
【００４５】
このラッチボルトの係止装置を解除するには、単に摘み２２と一体の第１カム体２６を上記とは逆に、即ち図７において時計方向に手指で回動すればよい。
【００４６】
この解除方向の摘み２２の回動により、このラッチボルトの係止装置を構成する各部材は前記とは逆方向に作動し、図６に示す常態に戻る。
【００４７】
尚、本発明は上記した実施例に限定されず、種々に変形して実施することができる。
【００４８】
例えば、図８に示すように、ばね装置３５として周知の開脚ばねを採用し、その一端を第１カム体２６のばね掛けピンに、他端を内側エスカチオンに植設された固定ばね掛けピン３７に夫々回動自在に巻き掛けておく。
【００４９】
すると、第１カム体２６の回動により、開脚ばね３５はその開脚部の間隔を狭めるように弾性変形すると共に、その他端を回動中心として全体が回動するから、矢張り思案位置が生じる。
【００５０】
また、図示の実施例では第１カム体２６を摘み２２に、第２カム体２７をサムターン軸１９に夫々結合するようにしたが、第１及び第２カム体２６及び２７は要するに遊動機構付のカプラーであるから、これらを反対の組合わせにしてもよい。
【００５１】
【発明の効果】
以上の説明から明らかなように、本発明によるラッチボルトの係止装置は、その作動及び解除をドライバー等の工具を用いること無く手指で操作し、また、扉を閉鎖したまま行うことができるので、ラッチボルトの係止装置の使い勝手を格段に向上させることができるという効果を奏する。
【図面の簡単な説明】
【図１】従来のラッチボルトの係止装置を備えた錠箱の一部破断正面図で、ラッチボルトの係止装置が作動していない常態を示す。
【図２】従来のラッチボルトの係止装置を備えた錠箱の一部破断正面図で、ラッチボルトの係止装置が作動している状態を示す。
【図３】この発明の一実施例によるラッチボルトの係止装置の要部断面図。
【図４】自動施錠機構を有する錠箱の一例を示す一部断面側面図。
【図５】カプラーと摘みの構成を示す側面図。
【図６】図３のＶＩ−ＶＩ線による一部断面図で、ラッチボルトの係止装置が作動していない常態を示す。
【図７】図３のＶＩＩ−ＶＩＩ線による一部断面図で、ラッチボルトの係止装置の作動状態を示す。
【図８】本発明の他の実施例を示す図７と同様のラッチボルトの係止装置の正面図。
【符号の説明】
２  ラッチボルト
１１  制御カム
１９  サムターン軸
２２  摘み
２５  切欠
２６  第１カム体
２７  第２カム体
２９  係合突起
３５  ばね装置
【図１】
0003749757.tif 000002
【図２】
0003749757.tif 000003
【図３】
0003749757.tif 000004
【図４】
0003749757.tif 000005
【図５】
0003749757.tif 000006
【図６】
0003749757.tif 000007
【図７】
0003749757.tif 000008
【図８】
0003749757.tif 000009